(57)【要約】      （修正有）【解決手段】保存容器組立体は容器及び蓋を具える。蓋は上蓋、ボタン３０、ガスケット４０、ガスケットプッシャー１０４及びアーム１０２を具える。ボタンはボタンの上表面が蓋の上面からずれている突出位置と、ボタンの上表面が上面により近い押下げ位置の間を第１軸方向に移動可能である。ガスケットは収縮状態と拡張状態に変化し得る。ガスケットプッシャーは第１軸方向と交わる第２軸方向に移動可能であり、ガスケットを押す。アームはガスケットプッシャーとボタンを作動的に連結する。突出位置から押下げ位置に向かってボタンが移動すると、アームが枢動し、ガスケットプッシャーが第２軸方向に移動する。【効果】ガスケットが容器の内表面と接することが可能な拡張状態に向かって移動し、蓋は容器の内表面を密封することができる。【選択図】図４
2019167163.tif 000002
【特許請求の範囲】
【請求項１】
開口を有する容器と、
前記開口を覆う蓋とを具える容器組立体であって、
前記蓋が該蓋の上面を画定する上蓋、ボタン、ガスケット、ガスケットプッシャー、及びアームを具え、
前記ボタンが該ボタンの上表面が前記蓋の上面からずれている突出位置と、前記ボタンの上表面が前記突出位置の場合と比較して前記蓋の上面により近い押下げ位置の間を第１軸方向に移動可能であり、
前記ガスケットが収縮状態と拡張状態に変化可能であり、前記収縮状態のガスケットは前記容器の開口の内表面に直接接触せず、
前記ガスケットプッシャーが縮み位置と伸び位置の間を前記第１軸方向と交わる第２軸方向に移動可能であって、前記ガスケットプッシャーが前記縮み位置から前記伸び位置に移動することにより、前記ガスケットプッシャーが前記ガスケットを前記拡張状態に向かって押し拡げ、
前記アームが前記ガスケットプッシャーとボタンを作動的に連結し、前記突出位置から前記押下げ位置に向かって前記ボタンが移動すると、前記アームが枢動し、前記ガスケットプッシャーが前記第２軸方向に移動し、その結果、前記ガスケットが前記拡張状態になる、
容器組立体。
【請求項２】
前記蓋が前記突出位置に向かって前記ボタンを付勢するばねを具える、請求項１の容器組立体。
【請求項３】
前記蓋がカム及び前記ばねを有するカム機構を具える、請求項２の容器組立体。
【請求項４】
前記突出位置から前記押下げ位置に前記ボタンが移動することにより前記ボタンが前記押下げ位置に留まり、前記押下げ位置にある前記ボタンが再び押されるまで前記ボタンが前記押下げ位置に留まるように、前記カム機構が前記ボタンと協働するように構成された、請求項３の容器組立体。
【請求項５】
前記ガスケットプッシャーが複数のガスケットプッシャーのうちの１つであり、前記アームが複数のアームのうちの１つであって、前記蓋が、一体形成されたプラスチック材片からなり前記複数のガスケットプッシャーと複数の引っ張り接続部材を有するウェブを具え、前記引っ張り接続部材のそれぞれが隣合う前記ガスケットプッシャーを相互に連結する、請求項１の容器組立体。
【請求項６】
前記引っ張り接続部材のそれぞれがリング状である、請求項５の容器組立体。
【請求項７】
前記ウェブがハブ及び該ハブと前記各ガスケットプッシャーをそれぞれ連結する複数のアームを具える、請求項６の容器組立体。
【請求項８】
前記各アームが、前記ハブと前記アームのそれぞれを連結する第１ヒンジ部、及び前記アームのそれぞれと前記ガスケットプッシャーのそれぞれを連結する第２ヒンジ部を具える、請求項７の容器組立体。
【請求項９】
前記各ガスケットプッシャーが前記第１軸方向と直交する下面を具え、前記ガスケットプッシャー及び前記第２ヒンジ部のそれぞれが前記下面と平行な面内を移動し、前記ガスケットを拡縮させる、請求項８の容器組立体。
【請求項１０】
前記各ガスケットプッシャーが前記ガスケットと接するガスケット接触面を具え、該ガスケット接触面が角を画定し、前記アームのそれぞれを二等分する前記ハブの中心から延びる線が前記角のそれぞれと交わる、請求項８の容器組立体。
【請求項１１】
前記各ガスケットプッシャーが前記ガスケットと接するガスケット接触面を具え、該ガスケット接触面が角を画定し、前記アームのそれぞれを二等分する前記ハブの中心から延びる線が前記角のそれぞれからずれている、請求項８の容器組立体。
【発明の詳細な説明】
【技術分野】
【０００１】
本発明は、容器を密封することができる蓋を具える保存容器に関する。類似のタイプの容器が米国特許第７，８１５，０６７号に開示されている。
【発明の概要】
【０００２】
保存容器組立体は開口を有する容器及び開口を覆う蓋を具える。蓋は上蓋、ボタン、ガスケット、ガスケットプッシャー及びアームを具える。上蓋は蓋の上面を画定する。ボタンはボタンの上表面が蓋の上面からずれている突出位置と、ボタンの上表面が突出位置の場合と比較して蓋の上面により近い押下げ位置の間を上蓋に対して第１軸方向に移動可能である。ガスケットは収縮状態と拡張状態に変化し得る。ガスケットプッシャーは縮み位置と伸び位置の間を第１軸方向と交わる第２軸方向に移動可能である。ガスケットプッシャーが縮み位置から伸び位置に移動すると、ガスケットプッシャーはガスケットを拡張状態に向かって押す。アームはガスケットプッシャーとボタンを作動的に連結する。突出位置から押下げ位置に向かってボタンが移動すると、アームが枢動(pivotal movement)し、ガスケットプッシャーは第２軸方向に移動し、その結果、ガスケットが拡張状態になる。
【０００３】
蓋を組立てる方法には、ベースにカム機構を配置し、ベースにウェブを配置することが含まれる。ウェブはガスケットプッシャーと引っ張り接続部材を具える。各引っ張り接続部材は隣合うガスケットプッシャーを相互に連結する。組立方法にはさらに、カム機構とボタンを連結し、ベースに上蓋を配置し、上蓋とベースを連結することが含まれる。上蓋はボタンを受入れるボタン開口を具える。組立方法にはさらにベースにガスケットを取付けることが含まれる。
【０００４】
ガスケットを拡げるためのウェブは、ハブ、ハブと連結されハブから外側に向かって延びる複数のアーム、アームのそれぞれとそれぞれ連結された複数のガスケットプッシャー、及び複数の引っ張り接続部材を具える。各ガスケットプッシャーはガスケットと接するためのガスケット接触面を具え、第１軸方向にハブが移動することにより、ガスケットプッシャーが第１軸方向と交わる第２軸方向に移動する。各引っ張り接続部材は隣合うガスケットプッシャーを相互に連結する。
【図面の簡単な説明】
【０００５】
図１は容器と容器を密封することができる蓋を具える容器組立体の斜視図。
【０００６】
図２は容器から蓋が取外された状態の容器組立体の他の斜視図。
【０００７】
図３は図１及び図２に示された容器組立体の蓋の分解図。
【０００８】
図４は蓋が容器の上に置かれてはいるが、密封状態ではない、図１及び図２に示された容器組立体の断面図。
【０００９】
図５は図３とは異なる視点（下）からの図１及び図２に示された容器組立体の蓋の分解図。
【００１０】
図６はボタンが押下げ（且つロック）位置にある容器組立体の斜視図。
【００１１】
図７及び８はそれぞれ、蓋のボタンが突出位置にある場合の蓋のウェブ、ベース、及びガスケットを示す斜視図及び平面図。
【００１２】
図９及び１０はそれぞれ、蓋のボタンが押下げ位置よりさらに下に向かって完全に押された場合の蓋のウェブ、ベース、及びガスケットを示す斜視図及び平面図。
【００１３】
図１１及び１２はそれぞれ、蓋のボタンが押下げ（且つロック）位置にある場合の蓋のウェブ、ベース、及びガスケットを示す斜視図及び平面図。
【００１４】
図１３は容器を密封することができる蓋の他の実施例の斜視図。
【００１５】
図１４は図１３に示された蓋の分解図。
【００１６】
図１５は図１４とは異なる視点（下）からの図１３に示された蓋の分解図。
【００１７】
図１６は図１３に示された蓋のウェブの下からの斜視図。
【００１８】
図１７は蓋のボタンが突出位置にある場合の蓋の図１３に示された蓋のウェブ、ベース、及びガスケットを示す斜視図。
【００１９】
図１８は図１３に示された蓋のウェブの平面図。
【００２０】
図１９は図１及び図１３に示されたウェブのアーム及び蓋のボタンの変位の模式図。
【００２１】
図２０は蓋の他の実施例の分解図。
【００２２】
図２１は図２０とは異なる視点（下）からの図２０に示された蓋の分解図。
【００２３】
図２２は蓋のボタンが突出位置にある図２０及び２１の蓋のボタン、ウェブ、及びベースの斜視図。
【００２４】
図２３は蓋のボタンが押下げ（且つロック）位置にある図２０及び２１の蓋のボタン、ウェブ、及びベースの斜視図。
【００２５】
図２４は蓋のボタンが押下げ（且つロック）位置にある図２０及び２１の蓋のボタン、上蓋、及びベースの斜視図。
【発明を実施するための形態】
【００２６】
図１には容器１２と蓋１４を具える保存容器組立体１０が示される。図２には容器１２から取外された蓋１４が示される。容器１２は（平面視の）構造が全体として長方形の側壁１６、及び底壁１８を具える。側壁１６は底壁１８の周辺から上に向かって延びており、物品を配置することができる内部容積２０を画定する。側壁１６は上開口２２とこの上開口２２を覆う蓋１４を画定する。側壁１６はまた、容器１２の内表面２４を画定し、蓋１４は内表面２４を密封することができる。
【００２７】
図３には図１及び２に示される蓋１４の分解図が示される。蓋１４はボタン３０、上蓋３２、ウェブ３４、カム機構３６、ベース３８、及びガスケット４０を具える。ボタン３０を押すと、その結果、ガスケット４０が動く。図４を参照して、第１軸方向（例えば、矢印４２と平行な方向）にボタン３０を押すと、その結果、ガスケット４０は、第１軸方向と直交する第２軸方向（例えば、矢印４４と平行な方向）に動く。ボタン３０を操作することによって、ガスケット４０は、収縮状態（図４参照。）から、ガスケット４０が容器１２の内表面２４に接触する拡張状態へと変化する。
【００２８】
再び図３を参照して、ボタン３０は全体として円形で示されるが、正方形、長方形、又は他の多角形のような他の形状であってもよい。ボタン３０は上表面５２を画定する上部５０を具え、上表面５２はボタンを操作するために通常、使用者によって押される面である。上表面５２は実施例では全体として平面で、容器１２が典型的に用いられて水平面上に置かれていると、上表面５２は全体として水平である。ボタン３０は上部５０の周辺から下に向かって延びる周辺スカート５４を具える。周辺スカート５４は環状、すなわち、円筒状で、容器１２が典型的に用いられて水平面上に置かれていると、実施例では周辺スカート５４は水平面と直角をなす。タブ５６は（実施例では４つのタブ５６が示される。）周辺スカート５４の下側の自由端から径方向外側に向かって延びている。タブ５６によってボタン３０は容易に上蓋３２と連結される。図５を参照して、ボタン３０は、上部５０から下側に向かって延び、周辺スカート５４から径方向内側にずれた位置にある内側環状フランジ５８を具える。ボタン３０はさらに中心に配置され、上部５０から下に向かって延びるバーブ６０を具える。バーブ６０は十字形ベース６２を具え、バーブ６０はボタン３０をカム機構３６と連結するために設けられる。
【００２９】
上蓋３２は、蓋１４の上面７２を画定する全体として水平に設けられた上部７０を具える。上面７２は実施例では全体として平面で、容器１２がテーブルのような水平な支持面に置かれ、蓋１４が容器１２の上開口２２（図２）を覆っていると、上面７２は全体として水平である。ボタンホール７４はボタン３０を受入れるために上蓋３２に設けられる。実施例ではボタンホール７４はボタン３０が円形であるので円形であるが、ボタンホール７４は、特にボタンの形が他の形の場合、他の形であってよい。突部７６はボタンホール７４の近くの上部７０から下に向かって延びている。実施例には４つの突部７６が示される（図５参照。）。各突部７６はボタン３０のタブ５６をそれぞれ受入れるために、チャンネル７８をそれぞれ具える。ボタン３０を押して離すと、タブ５６はチャンネル７８内を移動する。チャンネル７８内にタブ５６があることによって、上蓋３２に対するボタン３０の回転が妨げられる。上蓋３２はまた留め具開口８２を具える。留め具開口８２はベース３８への上蓋３２の取付けを容易にするために、スタンドオフ８４（図５）を貫通して延びている。上蓋３２はさらに上部７０の周辺から下に向かって延びる垂直向きの周辺スカート８６を具える。周辺スカート８６は容器１２の側壁１６の形状に全体として一致する。内部垂直壁８８は上部７０から下に向かって延び、周辺スカート８６から内側にずれた位置にある。内部垂直壁８８は周辺スカート８６と同じ形であるが、小さい。チャンネル９２は周辺スカート８６と内部垂直壁８８の間に形成される。ガスケット４０の少なくとも一部分がこのチャンネル９２に受入れられ、このことは図４で視認される。
【００３０】
図３を参照して、ウェブ３４は、ハブ１００、アーム１０２、ガスケットプッシャー１０４、及び引っ張り接続部材１０６を具える一体形成されたプラスチック材片である。各アーム１０２はガスケットプッシャー１０４のそれぞれとハブ１００を連結する。各引っ張り接続部材１０６は隣合うガスケットプッシャーとそれぞれのガスケットプッシャー１０４を連結する。ボタン３０を押すと、その結果、ハブ１００が動き、それによりアーム１０２が動き、それによりさらにガスケットプッシャー１０４動き、最終的にガスケット４０が動く。
【００３１】
ハブ１００は、ボタン３０のバーブ６０を受入れる中心開口１１０を具える。ハブ１００に対してボタン３０が回転しないようにハブ１００の中心開口１１０に十字形ベース６２が嵌込まれる。ハブ１００はカム機構３６と協働する（図４の断面図に示される）ラチェット歯１１２を具える。バーブ６０はカム機構３６と連結され、これによりボタン３０とハブ１００が作動的に連結される。
【００３２】
アーム１０２はハブ１００の下端から径方向外側に向かって延び、ガスケットプッシャー１０４のそれぞれとハブ１００を連結する。各アーム１０２を二等分するセンターラインは、互いに９０°ずれており、各センターラインはハブ１００の中心を通る。各アーム１０２は、ハブ１００とアーム１０２を連結する第１ヒンジ部１２０とアーム１０２とガスケットプッシャー１０４をそれぞれ連結する第２ヒンジ部１２２を具える。各ヒンジ部１２０及び１２２は屈曲部として作用する。各ヒンジ部１２０及び１２２の厚みは、第１ヒンジ部１２０と第２ヒンジ部１２２の間の各アーム１０２の厚みより薄い。図４により明確に示されるとおり、第１ヒンジ部１２０の場合、アーム１０２の下側から素材が取除かれ、第２ヒンジ部１２２の場合、アーム１０２の上側から素材が取除かれている。他の構成では、第１ヒンジ部１２０及び第２ヒンジ部１２２ともにアーム１０２の下側から素材が取除かれてもよいし、上側から素材が取除かれてもよい。各アーム１２０はまた長孔１２６を具える。長孔１２６は第１ヒンジ部１２０と第２ヒンジ部１２２の間に配置される。長孔１２６によってアーム１０２及びウェブ３４の位置が定まり、アーム１０２の動きも制限され得る。
【００３３】
各ガスケットプッシャー１０４は平面視で全体として三角形である。各ガスケットプッシャー１０４はガスケット４０と接するガスケット接触面１３０を具える。実施例では、各ガスケット接触面１３０は平面視で全体としてＬ字形であり、アーム１０２を二等分するハブ１００の中心から延びる線がＬ字形ガスケット接触面１３０の角と交わる。各ガスケットプッシャー１０４は、アーム１０２を二等分するハブ１００の中心から延びる線に沿って中央に配置された中央長開口１３２を具える。各ガスケットプッシャー１０４はまた、ガスケットプッシャー１０４と連結された各引っ張り接続部材１０６のそれぞれと隣合う外側ガスケットプッシャー開口１３４を具える。ガスケットプッシャー１０４の開口１３２及び１３４によってガスケットプッシャー１０４及びウェブ３４の位置が定まり、ガスケットプッシャー１０４の動きも制限され得る。ウェブ３４は各ガスケットプッシャー１０４上に平坦な上面１３６及び平坦な下面１３８を有し、それらのいずれの面も第１軸方向（図４の矢印４２と平行な方向）と直交する。ガスケットプッシャー１０４と第２ヒンジ部１２２は、上面１３６又は下面１３８のいずれかと平行な面内を移動し、ガスケット４０を拡縮させる。ガスケットプッシャー１０４は縮み位置（図７、８参照。）と伸び位置（図１１、１２参照。）との間を移動可能である。ガスケットプッシャー１０４が縮み位置から伸び位置の方へ移動すると、ガスケットプッシャー１０４はガスケット４０を拡張状態に向かって押す。
【００３４】
引っ張り接続部材１０６は隣合うガスケットプッシャー１０４を相互に連結する。実施例では、４つのガスケットプッシャー１０４が設けられ、４つの引っ張り接続部材１０６によって相互に連結されている。実施例では、引っ張り接続部材１０６はリング状である。ガスケットプッシャー１０４が伸び位置にあると、引っ張り接続部材１０６はガスケットプッシャー１０４が縮み位置に向かって戻るように促す張力となる。しかしながら、押下げ位置にあるボタン３０が再び押されるまで、カム機構３６はガスケットプッシャー１０４を伸び位置に留める。
【００３５】
実施例では、ウェブ３４はプラスチック素材の単一片からなり、そのため、ハブ１００は各アーム１０２を介してガスケットプッシャー１０４と相互に連結されており、ガスケットプッシャー１０４はまた、各引っ張り接続部材１０６によって相互に連結されている。ウェブ３４を作る場合、ウェブ３４は、図３に示されるようなハブ１００の下端が上面１３６及び下面１３８より垂直方向上側にずらされている構成で形作られる。これにより、ハブ１００の下端の位置が下面１３８と同一平面上にある場合と比較して、ウェブ３４はこの位置に戻りやすくなる。
【００３６】
カム機構３６はカム１４０、及びボタン３０に向かってカム１４０を付勢するためにベース３８に対して作用するばね１４２を具える。カム１４０は垂直チャンネル１４６及びラチェット歯１４８を有する円筒体１４４を具える。カム１４０の開口１５２（図４）に挿入されるバーブ６０を介して、カム１４０はボタン３０と連結される。ばね１４２によってボタン３０は突出位置（図１）に付勢される。
【００３７】
ベース３８は、上蓋３２に面する上面１６２、及び蓋１４が容器１２上にある場合に容器１２の内部容積２０に面する下面１６４（図５）を有するプレート１６０からなる。図３で示されるように、中央ガスケットプッシャースタンドオフ１６６は、各ガスケットプッシャー１０４に設けられた中央長開口１３２に受入れられる。外側ガスケットプッシャースタンドオフ１６８は、上面１６２から上に向かって延びており、外側ガスケットプッシャー開口１３４に受入れられる。アームスタンドオフ１７２は上面１６２から上に向かって延びており、各アーム１０２に設けられた長孔１２６にそれぞれ受入れられる。スタンドオフ１６６、１６８、及び１７２によって、ベース３８上にウェブ３４を配置しやすくなる。各ベース３８のそれぞれの角にある中央ガスケットプッシャースタンドオフ１６６のそれぞれはまた、ベース３８と上蓋３２を連結するための留め具を受入れるために上蓋３２のスタンドオフ８４と連携してもよい。上蓋３２は他の従来の方法によりベース３８と連結されてもよい。スタンドオフ１６６、１６８、及び１７２はベース３８から上に向かって延びるように示されるが、必要に応じ、上蓋３２の上部７０から下に向かって延びてもよい。
【００３８】
ベース３８はさらに中心環状ボス１７４を具え、中心環状ボス１７４は、中心環状ボス１７４を径方向に貫通するスロット１７８の上で終端し内側に向かって延びる突起１７６を具える。カム機構３６は中心環状ボス１７４に受入れられ、垂直チャンネル１４６は既知の方法で突起１７６と協働し、これにより、ボタン３０は、（図１に示される）ボタン３０の上表面５２が蓋１４の上面７２からずれている突出位置と、ボタン３０の上表面５２が突出位置の場合と比較して蓋１４の上面７２により近い押下げ位置において安定する。ボタン３０が押下げ位置にあると（図６参照。）、ボタン３０の上表面５２は蓋１４の上面７２と実質的に同一平面であることが望ましい。ハブ１００のラチェット歯１１２（図４）は既知のボールペンの機構と類似の方法でカム１４０のラチェット歯１４８と協働する。これにより、ボタン３０は突出位置又は押下げ位置のいずれかの位置で留まることができる。
【００３９】
図５を参照して、円形チャンネル１８２がベース３８を構成するプレート１６０の下面１６４に設けられる。インレット１８４がチャンネル１８２からプレート１６０の中心に向かって内側に延びる。
【００４０】
ガスケット４０は、開口１９２及び内側に向かって延びる複数の耳１９４を有するベース１９０を具える。図３を参照して、環状フランジ１９６がベース１９０の上面１９８から上に向かって延びる。環状フランジ１９６はベース３８に形成されたチャンネル１８２に受入れられ、各耳１９４はインレット１８４にそれぞれ受入れられる。ガスケット４０はまた全体として垂直に配置された周辺部２００を具える。ガスケット４０はベース３８とウェブ３４の外周と嵌合する内側面２０２を具える。
【００４１】
ボタン３０は、上蓋３２に対して突出位置とボタン３０の上表面５２が蓋１４の上面７２と同一平面にある押下げ位置の間を（図４の矢印４２と平行な）第１軸方向に移動可能である。既知のボールペンの機構と類似しているカム機構３６、及びカム機構３６とボタン３０の連結により、ボタン３０は、ばね１４２が押下げ位置から突出位置に向かってボタン３０を付勢するように再びボタンが押されるまで押下げ位置に留まることができる。突出位置から押下げ位置に向かってボタン３０が移動することにより、アーム１０２の少なくとも１つ（実施例の各アーム）が枢動する。すなわち、ボタン３０が押し下げられると、各アーム１０２は第１ヒンジ部１２０と第２ヒンジ部１２２を軸として枢動、すなわち、屈曲する。各アーム１０２の第１ヒンジ部１２０はまた第１軸方向と平行に（図４で示される方向で）下に向かって移動する。各アーム１０２の第２ヒンジ部１２２もまた第１軸方向と直交する面内をハブ１００から離れるように移動する。各アーム１０２のこの移動によってガスケットプッシャー１０４は第１軸方向と交わる第２軸方向に移動する。実施例では、第２軸方向は図４の矢印４４と平行で、第１軸方向と直交しているが、第２軸方向は第１軸方向と直交している必要はなく、第１軸方向と平行な方向以外ならいずれの角度であってもよい。ガスケットプッシャー１０４が縮み位置から伸び位置に向かって移動すると、ガスケット４０は、ガスケット４０が容器１２の内表面２４と接することが可能な拡張状態に向かって移動する。ボタン３０が押下げ状態にあると、ガスケット４０は、容器１２を密封するため容器１２の内表面２４と接している。ボタン３０が押下げ状態にあると、ボタン３０を再び押すことが可能で、ばね１４２がボタン３０を突出位置に向かって付勢するようにカム機構３６は作用する。ボタン３０が押下げ位置から突出位置に向かって動くと、ハブ１００がボタン３０とともに上に向かって動くように各アーム１０２は第１ヒンジ部１２０と第２ヒンジ部１２２の両方を軸として枢動、すなわち、屈曲する。各アーム１０２の第１ヒンジ部１２０はまた第１軸方向と平行に（図４で示される方向に対して）上に向かって移動する。各アーム１０２の第２ヒンジ部１２２もまた第１軸方向と直交する面内をハブ１００の方に向かって移動する。これによりガスケットプッシャー１０４はハブ１００の方に引き寄せられ、その結果、ガスケット４０は容器１２の内表面２４とは係合しなくなる。
【００４２】
図７及び８には、ボタン３０が突出位置にある状態のウェブ３４、ベース３８、及びガスケット４０が示される。図９及び１０には、ボタン３０が安定した押下げ位置に移動する前の完全に押下げられた状態にある状態のウェブ３４、ベース３８、及びガスケット４０が示される。図１１及び１２には、ボタン３０が押下げ位置にあるウェブ３４、ベース３８、及びガスケット４０が示される。突出位置に戻るために、ボタン３０が再び押される、すなわち、ボタン３０が安定した（ロックされた）押下げ位置にあるとボタン３０は押される。
【００４３】
図１３乃至１７には蓋１４に類似する蓋２１４が示される。蓋２１４は図２に示される上開口２２に類似する容器の開口を覆うが、容器の形状は異なる。蓋２１４は（図２の内表面２４に類似する）このような容器の内表面を密封することができる。
【００４４】
図１４及び１５には図１３に示される蓋２１４の分解図が示される。蓋２１４はボタン２３０、上蓋２３２、ウェブ２３４、カム機構２３６、ベース２３８、及びガスケット２４０を具える。図１３を参照して、第１軸方向、例えば、矢印２４２に平行な方向にボタン２３０を押すと、第１軸方向と直交する第２軸方向、例えば、矢印２４４に平行な方向にガスケット２４０が動く。ボタン２３０を操作することによって、ガスケット２４０は、収縮状態（図１３参照。）から、ガスケット２４０が容器の内表面に接触する拡張状態へと変化する
【００４５】
ボタン２３０は全体として円形で示されるが、正方形、長方形、又は他の多角形のような他の形状であってもよい。ボタン２３０は上表面２５２を画定する上部２５０を具え、上表面２５２はボタンを操作するために通常、使用者によって押される面である。ボタン２３０は上部２５０の周辺から下に向かって延びる周辺スカート２５４を具える。ボタン３０との違いは、ボタン２３０は雌型タブ２５６（実施例では４つの雌型タブが示される。）が周辺スカート２５４の下側の自由端から外側に向かって延びている。雄型タブ２５８も周辺スカート２５４の下側の自由端から外側に向かって延びている。互いに１８０°離れて設けられ、一対の雌型タブ２５６のそれぞれから９０°ずらされて設けられた２つの雄型タブ２５８が示される。タブ２５６及び２５８によって、上蓋２３２とボタン２３０の連結が容易になる。図１５を参照して、ボタン２３０は上部２５０から下に向かって延び、周辺スカート２５４から径方向内側にずれた位置にある内側環状フランジ２６０を具える。ボタン２３０はさらに上部２５０から下に向かって延びるバーブ２６２を具える。バーブ２６２は十字形ベース２６４を具え、ボタン２３０をカム機構２３６と連結するために設けられる。
【００４６】
上蓋２３２は、蓋２１４の上面２７２を画定する全体として水平に設けられた上部２７０を具える。ボタンホール２７４はボタン２３０を受入れるために上蓋２３２に設けられる。第１（幅広）突部２７６がボタンホール２７４近くの上部２７０から下に向かって延びる。第１突部２７６は、雌型タブ２５６の間に受入れられる。２つの第１突部２７６が実施例に示される（図１５参照。）。第２（幅狭）突部２７８がボタンホール２７４近くの上部２７０から下に向かって延びる。各第２突部２７８は、ボタン２３０の各雄型タブ２５８を受入れるために、チャンネル２８０をそれぞれ具える。タブ２５６及び２５８は、上蓋２３２に対してボタン２３０の回転移動しないように、突部２７６及び２７８と協働する。上蓋２３２はまた、ベース２３８への上蓋２３２の取付けを容易にするために、スタンドオフ２８４（図１５）を貫通して延びる留め具開口２８２を具える。上蓋２３２はさらに上部２７０の周辺から下に向かって延びる垂直向きの周辺スカート２８６を具える。周辺スカート２８６は蓋２１４が協働する容器の側壁の形状に全体として一致する。内部垂直壁２８８は上部２７０から下に向かって延び、周辺スカート２８６から内側にずれた位置にある。内部垂直壁２８８は周辺スカート２８６と同じ形であるが、それより小さい。チャンネル２９２が周辺スカート２８６と内部垂直壁２８８の間に形成される。図４で示されるようにガスケット４０がチャンネル９２に受入れられるのと同様に、ガスケット２４０の少なくとも一部分がこのチャンネル２９２に受入れられる。
【００４７】
図１４を参照して、ウェブ２３４は、ハブ３００、アーム３０２、ガスケットプッシャー３０４、及び引っ張り接続部材３０６を具える一体形成されたプラスチック材片である。各アーム３０２はガスケットプッシャー３０４のそれぞれとハブ３００を連結する。各引っ張り接続部材３０６は隣合うガスケットプッシャーとそれぞれのガスケットプッシャー３０４を連結する。ボタン２３０を押すと、その結果、ハブ３００が動き、それによりアーム３０２が動き、それによりさらにガスケットプッシャー３０４動き、最終的にガスケット２４０が動く。
【００４８】
ハブ３００は、ボタン２３０のバーブ２６２を受入れる中心開口３１０を具える。ハブ３００に対してボタン２３０が回転しないようにハブ３００の中心開口３１０に十字形ベース２６４が嵌込まれる。ハブ３００はカム機構２３６と協働するラチェット歯３１２（図１６）を具える。バーブ２６２は、バーブ６０がカム機構３６と連結される方法と同様な方法でカム機構２３６と連結され、これによりボタン２３０とハブ３００が作動的に連結される。
【００４９】
アーム３０２はハブ３００の下端から外側に向かって延び、ガスケットプッシャー３０４のそれぞれとハブ３００を連結する。各アーム３０２の間隔は、上述したウェブ３４とは異なる角度で角度方向に間隔があけられている。平面視で見ると（図１８参照。）、ウェブ２３４の縦中心線の左側のアーム３０２は（開口３１０の向きを無視して）互いに鋭角をなして配置される。同様に、中心線の右側のアーム３０２も互いに鋭角をなして配置される。これに対して、図１８の横中心線より上にあるアーム３０２は互いに鈍角をなして配置される。同様に、図１８の横中心線より下にあるアーム３０２も互いに鈍角をなして配置される。
【００５０】
図１７を参照して、各アーム３０２は、ハブ３００とアーム３０２を連結する第１（近位）ヒンジ部３２０とアーム３０２とガスケットプッシャー３０４をそれぞれ連結する第２（遠位）ヒンジ部３２２を具える。各ヒンジ部３２０及び３２２は屈曲部として作用する。各ヒンジ部３２０及び３２２の厚みは、第１ヒンジ部３２０と第２ヒンジ部３２２の間の各アーム３０２の厚みより薄い。第１ヒンジ部３２０の場合、アーム３０２の下側から素材が取除かれている。第２ヒンジ部３２２の場合、アーム３０２の上側から素材が取除かれている。各ヒンジ部３２０及び３２２は同じ方法で形成されてもよく、例えば、両ヒンジ部とも上側から素材が取除かれてもよく、又は下側から素材が取除かれてもよい。各アーム３２０はまた長孔３２６を具える。長孔３２６は第１ヒンジ部３２０と第２ヒンジ部３２２の間に配置される。長孔３２６によってアーム３０２とウェブ２３４の位置が定まり、アーム３０２の動きも制限され得る。
【００５１】
各ガスケットプッシャー３０４はガスケット２４０と接するガスケット接触面３３０を具える。実施例では、各ガスケット接触面３３０は平面視で全体としてＬ字形である。しかしながら、蓋２１４が長方形なので、アーム３０２を二等分するハブ３００の中心から延びる線は、Ｌ字形ガスケット接触面３３０の角からずれている（図１８参照。）。
【００５２】
各ガスケットプッシャー３０４は、ガスケットプッシャー３０４及びウェブ２３４の位置を定め、さらにガスケットプッシャー３０４の動きを制限するため、ガスケットプッシャー１０４の開口１３２に類似する長開口３３２を具える。ウェブ２３４は平坦な上面３３６及び平坦な下面３３８を有する。ガスケットプッシャー３０４と第２ヒンジ部３２２は、上面３３６又は下面３３８のいずれかと平行な面内を移動し、ガスケット２４０を拡縮させる。ガスケットプッシャー３０４は縮み位置と伸び位置との間を移動可能である。ガスケットプッシャー３０４が縮み位置から伸び位置の方へ移動すると、ガスケットプッシャー３０４はガスケット２４０を拡張状態に向かって押す。
【００５３】
引っ張り接続部材３０６は隣合うガスケットプッシャー３０４を相互に連結する。実施例では、４つのガスケットプッシャー３０４が設けられ、４つの引っ張り接続部材３０６によって相互に連結されている。実施例では、引っ張り接続部材３０６はリング状である。ガスケットプッシャー３０４が伸び位置にあると、引っ張り接続部材３０６はガスケットプッシャー３０４が縮み位置に向かって戻るように促す張力となる。しかしながら、押下げ位置にあるボタン２３０が再び押されるまで、カム機構２３６はガスケットプッシャー３０４を伸び位置に留める。
【００５４】
実施例では、ウェブ２３４はプラスチック素材の単一片からなり、そのため、ハブ３００は各アーム３０２を介してガスケットプッシャー３０４と相互に連結されており、ガスケットプッシャー３０４はまた、各引っ張り接続部材３０６によって相互に連結されている。ウェブ２３４は、図１４に示される構成で形作られる。
【００５５】
カム機構２３６はカム機構３６とあらゆる点で同じである。よって、更なる説明を省略する。
【００５６】
ベース２３８は、上蓋２３２に面する上面３６２、及び蓋２１４が容器上にある場合に容器の内部容積に面する下面３６４（図１５）を有するプレート３６０からなる。図１７を参照して、ガスケットプッシャースタンドオフ３６６は、上面３６２から上に向かって延び、各ガスケットプッシャー３０４に設けられた長開口３３２に受入れられる。アームスタンドオフ３７２は上面３６２から上に向かって延びており、各アーム３０２に設けられた長孔３２６にそれぞれ受入れられる。スタンドオフ３６６及び３７２によって、ベース２３８上にウェブ２３４を配置しやすくなる。各ベース２３８のそれぞれの角にあるガスケットプッシャースタンドオフ３６６のそれぞれはまた、ベース２３８と上蓋２３２を連結するための留め具を受入れるために上蓋２３２のスタンドオフ２８４と連携してもよい。上蓋２３２は他の従来の方法によりベース２３８と連結されてもよい。スタンドオフ３６６及び３７２はベース２３８から上に向かって延びるように示されるが、必要に応じ、上蓋２３２の上部２７０から下に向かって延びてもよい。
【００５７】
ベース２３８はさらに中心環状ボス３７４を具え、中心環状ボス３７４は、中心環状ボス３７４を径方向に貫通するスロット３７８の上で終端し内側に向かって延びる突起３７６を具える。カム機構２３６は中心環状ボス３７４に受入れられ、垂直チャンネル３４６は既知の方法で突起３７６と協働し、これにより、ボタン２３０は、（図１３に示される）ボタン２３０の上表面２５２が蓋２１４の上面２７２からずれている突出位置と、ボタン２３０の上表面２５２が突出位置の場合と比較して蓋２１４の上面２７２により近い押下げ位置において安定する。ボタン２３０が押下げ位置にあると、ボタン２３０の上表面２５２は蓋２１４の上面２７２と実質的に同一平面であってもよい。ハブ３００のラチェット歯３１２（図１６）は既知のボールペンの機構と類似の方法でカム３４０のラチェット歯３４８と協働する。これにより、ボタン２３０は突出位置又は押下げ位置のいずれかの位置で留まることができる。
【００５８】
図１５を参照して、チャンネル３８２がベース２３８を構成するプレート３６０の下面３６４に設けられる。インレット３８４がチャンネル３８２からプレート３６０の中心に向かって内側に延びる。
【００５９】
ガスケット２４０はベース３９０、及び全体として垂直に配置された周辺部４００を具える。ガスケット２４０はベース２３８とウェブ２３４の外周と嵌合する内側面４０２を具える。
【００６０】
ボタン２３０は、上蓋２３２に対して突出位置（図１３参照。）とボタン２３０の上表面２５２が蓋２１４の上面２７２と同一平面にある押下げ位置の間を（図１３の矢印２４２と平行な）第１軸方向に移動可能である。既知のボールペンの機構と類似しているカム機構２３６、及びカム機構２３６とボタン２３０の連結により、ボタン２３０は、ばね３４２が押下げ位置から突出位置に向かってボタン２３０を付勢するように再びボタンが押されるまで押下げ位置に留まることができる。突出位置から押下げ位置に向かってボタン２３０が移動することにより、アーム３０２の少なくとも１つ（実施例の各アーム）は枢動をする。ボタン２３０が押し下げられると、各アーム３０２は第１ヒンジ部３２０と第２ヒンジ部３２２を軸として枢動する。各アーム３０２の第１ヒンジ部３２０はまた第１軸方向（矢印２４２）と平行に（図１３で示される方向で）下に向かって移動する。第２ヒンジ部３２２もまた第１軸方向と直交する面内をハブ３００から離れるように外側に移動する。各アーム３０２のこの移動によってガスケットプッシャー３０４は第１軸方向と交わる第２軸方向に移動する。実施例では、第２軸方向は図１３の矢印２４４と平行で、第１軸方向と直交しているが、第２軸方向は第１軸方向と直交している必要はない。ガスケットプッシャー３０４が縮み位置から伸び位置に向かって移動すると、ガスケット２４０は、ガスケット２４０が容器の内表面と接することが可能な拡張状態に向かって移動する。ボタン２３０が押下げ状態にあると、ガスケット２４０は、容器を密封するため容器の内表面と接している。ボタン２３０が押下げ状態にあると、ボタン２３０を再び押すことが可能で、ばね３４２がボタン２３０を突出位置に向かって付勢するようにカム機構２３６は作用する。ボタン２３０が押下げ位置から突出位置に向かって動くと、ハブ３００がボタン２３０とともに上に向かって動くように各アーム３０２は第１ヒンジ部３２０と第２ヒンジ部３２２の両方を軸として枢動する。各アーム３０２の第１ヒンジ部３２０はまた第１軸方向（矢印２４２）と平行に（図１３で示される方向に対して）上に向かって移動する。第２ヒンジ部３２２もまた第１軸方向と直交する面内をハブ３００の方に向かって内側に移動する。これによりガスケットプッシャー３０４はハブ３００の方に引き寄せられ、その結果、ガスケッ２４０は容器の内表面とは係合しなくなる。図１７には、ボタン２３０が突出位置にある状態のウェブ２３４、ベース２３８、及びガスケット２４０が示される。
【００６１】
上述の蓋１４及び２１４は（図４の矢印４２及び図２０の中心軸４４２と平行な）垂直方向に対して比較的小さく作ることができる。図１９には、ボタン３０及び２３０の垂直方向の変位「ｙ」、並びに各ガスケットプッシャー１０４及び３０４の水平方向の変位「ｘ」が、模式的に示される。ウェブ３４及び２３４のアーム１０２及び３０２の長さは「ａ」である。ガスケットプッシャーの変位「ｘ」はアームの長さの２倍より小さい、すなわち、ｘ＜２ａがよい。さらに、角θは、ガスケットプッシャー１０４及び３０４に作用する水平力が垂直方向の分力と比較して水平方向の分力の方がより大きくなる４５°より小さい方がよい。
【００６２】
蓋１４及び２１４は簡単な方法で組立てることができる。蓋１４及び２１４を組立てる方法には、ベース３８及び２３８にカム機構３６及び２３６を配置し、ベース３８及び２３８にウェブ３４及び２３４を配置することが含まれる。組立方法にはさらに、カム機構３６及び２３６とボタン３０及び２３０を連結し、ベース３８及び２３８に上蓋３２及び２３２を配置し、上蓋３２及び２３２とベース３８及び２３８を連結することが含まれる。上蓋３２及び２３２とベース３８及び２３８の取付方法には、留め具、又はスナップフィット連結を用いることができる。取付方法にはさらに、ベース３８及び２３８にガスケット４０及び２４０を取付けることが含まれ、これは、ベース３８及び２３８の周りにガスケット４０及び２４０を張りめぐらせることによって可能である。
【００６３】
蓋１４及び２１４の組立方法によって、構成要素の上に他の構成要素を簡単に積み重ねることができ、組立工程が容易になる。上述の手順の順番は記載された正確な順番でなされる必要はない。さらに、ベース３８及び２３８にカム機構３６及び２３６を配置することには、ばね１４２及び３４２を中心環状ボス１７４及び３７４（又は異なる形状のボス）に挿入すること、並びにばね１４２及び３４２にカム１４０及び３４０を配置することが含まれてもよい。
【００６４】
図２０及び２１には組立てられたときの形状が蓋２１４に類似する蓋４１４が示される（図２４参照。）。蓋４１４は図２に示される上開口２２に類似する容器の開口を覆うが、容器の形状は異なる。蓋４１４は（図２の内表面２４に類似する）このような容器の内表面を密封することができる。
【００６５】
図２０及び２１には蓋４１４の分解図が示される。蓋４１４はボタン４３０、上蓋４３２、ウェブ４３４、カム機構４３６、ベース４３８、及びガスケット４４０を具える。第１軸方向、例えば、中心軸４４２に平行な方向にボタン４３０を押すと、第１軸方向と直交する第２軸方向、例えば、矢印４４４に平行な方向にガスケット４４０が動く。上述の実施例と同様に、ボタン４３０を下に向かって操作することによって、ガスケット４４０は、収縮状態から、ガスケット４４０が容器の内表面に接触する拡張状態へと変化する。
【００６６】
ボタン４３０は上表面４５２を画定する上部４５０を具える。ボタン４３０は上部４５０の周辺から下に向かって延びる周辺スカート４５４を具える。タブ４５６（実施例では４つのタブが示される。）が周辺スカート４５４の下側の自由端から径方向外側に向かって延びる。タブ４５６によって、上蓋４３２とボタン４３０の連結が容易になる。図２１を参照して、ボタン４３０は上部４５０から下に向かって延びる内側環状フランジ４６０及びバーブ４６２を具える。バーブ４６２は十字形ベース（視認できないが、十字形ベース６４及び２６４に類似する。）を具え、ボタン４３０をカム機構４３６と連結するために設けられる。ボタン４３０は上述したボタン３０及び２３０と類似しているが、ボタン４３０は内側環状フランジ４６０に設けられたアーム接触部材４６６を具える。実施例では４つのアーム接触部材４６６が設けられ、アーム接触部材４６６は図１８に示されるアーム３０２と同様に角度方向に間隔があけられている。
【００６７】
上蓋４３２は、蓋４１４の上面４７２を画定する上部４７０を具える。ボタンホール４７４はボタン４３０を受入れるために上蓋４３２に設けられる。環状フランジ４７６が上部４７０から下に向かって延び、ボタンホール４７４を囲う。チャンネル４７８がタブ４５６を受入れるために、環状フランジ４７６に設けられる。上蓋４３２はまた、ベース４３８への上蓋４３２の取付けを容易にするために、スタンドオフ４８４（図２１）を貫通して延びる留め具開口４８２を具える。上蓋４３２はさらに垂直向きの周辺スカート４８６及び内部垂直壁４８８を具え、それらはともに上部４７０から下に向かって延び、上述した上蓋３２及び２３２と同様なチャンネル４９２を画定する。
【００６８】
図２０を参照して、ウェブ４３４は上述したウェブ３４及び２３４と同様な一体形成されたプラスチック材片であるが、ウェブ４３４には（ハブ１００及び３００と同様な）ハブ及び（アーム１０２及び３０２と同様な）完全なアームがない。ウェブ４３４はガスケットプッシャー５０４及び引っ張り接続部材５０６を具える。ウェブ４３４は平坦な上面５２６及び平坦な下面５２８を有し、それら面は中心軸４４２とそれぞれ直交する。
【００６９】
ガスケットプッシャー５０４はガスケット４４０と接するガスケット接触面５３０を具える。実施例では、各ガスケット接触面５３０は平面視で全体としてＬ字形である。各ガスケットプッシャー５０４は、ガスケットプッシャー３０４の長開口３３２と同様な長開口５３２を具え、これにより、ガスケットプッシャー５０４及びウェブ４３４の位置が定まり、ガスケットプッシャー５０４の動きも制限され得る。ガスケットプッシャー５０４は中心軸４４２と直交する面内、及び上面５２６又は下面５２８のいずれかと平行な面内を移動し、ガスケット４４０を拡縮させる。各ガスケットプッシャー５０４はまた、ウェブ４３４の中央開口５４０の内向きの垂直接触面５３８を有する壁５３６を具える。
【００７０】
引っ張り接続部材５０６は隣合うガスケットプッシャー５０４を相互に連結する。実施例では、４つのガスケットプッシャー５０４が設けられ、４つの引っ張り接続部材５０６によって相互に連結されている。実施例では、ウェブ４３４がプラスチック素材の単一片からなり、そのため、ガスケットプッシャー５０４は引っ張り接続部材５０６によって相互に連結されている。
【００７１】
カム機構４３６は既知のボールペンの機構と類似している。ハブ１００（図３）のラチェット歯１１２（図４）、又はハブ３００のラチェット歯３１２（図１６）の替わりに、ラチェット歯１１２とラチェット歯３１２に類似するラチェット歯５４６を有するギア５４４が、ボタン４３０の上部４５０とカム５４８の間に挟まれ、これは図４のカム１４０とあらゆる点で同じであるバーブ４６２はギア５４４を貫通して延び、ギア５４４はボタン４３０に対して回転可能である。
【００７２】
ベース４３８は、上蓋４３２に面する上面５６２、及び蓋が容器上にある場合に容器の内部容積に面する下面５６４（図２１）を有するプレート５６０からなる。ガスケットプッシャースタンドオフ５６６は、上面５６２から上に向かって延びており、ガスケットプッシャー５０４に設けられた長開口５３２に受入れられる。各ベース４３８のそれぞれの角にあるガスケットプッシャースタンドオフ５６６のそれぞれはまた、ベース４３８と上蓋４３２を連結するための留め具を受入れるために上蓋４３２のスタンドオフ４８４と連携してもよい。上蓋４３２は他の従来の方法によりベース４３８と連結されてもよい。スタンドオフ５６６はベース４３８から上に向かって延びるように示されるが、必要に応じ、上蓋４３２の上部４７０から下に向かって延びてもよい。アーム台５７２が上面５６２から上に向かって延びる。実施例では、４対のアーム台５７２が設けられている。各アーム台５７２は軸リセス５７４を具える。
【００７３】
ベース４３８はさらに中心環状ボス５７６を具え、中心環状ボス５７６は、中心環状ボス５７６を径方向に貫通するスロット５８０の上で終端し内側に向かって延びる突起５７８を具える。カム機構４３６は中心環状ボス５７６に受入れられ、カム５４８の垂直チャンネル５５０は既知の方法で突起５７８と協働し、これにより、ボタン４３０は、（図１３に示されるボタン２３０に類似する）ボタン４３０の上表面４５２が蓋４１４の上面４７２からずれている突出位置と、ボタン４３０の上表面４５２が突出位置の場合と比較して蓋４１４の上面４７２により近い押下げ位置において安定する。ボタン４３０が押下げ位置にあると（図２４参照。）、ボタン４３０の上表面４５２は蓋４１４の上面４７２と実質的に同一平面であってもよい。ギア５４４のラチェット歯５４６は既知のボールペンの機構と類似の方法でカム５４８のラチェット歯５５２と協働し、これにより、ボタン４３０は突出位置又は押下げ位置のいずれかの位置で留まることができる。
【００７４】
ガスケット４４０は全体として垂直に配置された環状体５９０を具える。ガスケット４４０の環状体５９０はベース４３８とウェブ４３４の外周と嵌合する内側面５９２を具える。
【００７５】
図２０及び２１の実施例では、ウェブ４３４とは別の、すなわち、ウェブ４３４とは一体に形成されていない複数のアーム６０２が設けられる。各アーム６０２はガスケットプッシャー５０４に対してボタン４３０を作動的に連結する。ボタン４３０を押すと、アーム６０２が動き、その結果、ガスケットプッシャー５０４が動き、それによってガスケット４４０が動く。
【００７６】
アーム６０２は、図１８に示された実施例のアーム３０２と同様に角度方向に間隔があけられている。各アーム６０２は、ボタン４３０の各アーム接触部４６６と接する基端接触面６２０を具える。各アーム６０２は、各ガスケットプッシャー５０４と接する末端接触面６２２を具える。各アーム６０２はまた、ベース４３８とアーム６０２を連結するために、各軸リセス５７４にそれぞれ受入れられる軸柱６２４を具える。（中心軸４４２と平行な）下向きの力が基端接触面６２０に掛けられる、又は中心軸４４２と直交する向きの力が末端接触面６２２に掛けられると、各アーム６０２は、各軸柱６２４の中心軸の周りを枢動する。
【００７７】
ボタン４３０は、上蓋４３２に対して（図２２に示され、及び図１３のボタン２３０と同様な）突出位置とボタン４３０の上表面４５２が蓋４１４の上面４７２と同一平面にある押下げ位置（図２４参照。）の間を（図２０の矢印４４２と平行な）第１軸方向に移動可能である。既知のボールペンの機構と類似しているカム機構４３６、及びカム機構４３６とボタン４３０の連結により、ボタン４３０は、ばね５５４が押下げ位置から突出位置に向かってボタン４３０を付勢するように再びボタンが押されるまで押下げ位置に留まることができる。突出位置から押下げ位置に向かってボタン４３０が移動することにより、アーム６０２の少なくとも１つ（実施例の各アーム）が枢動する。ボタン４３０が押し下げられると、各アーム６０２は軸柱６２４を枢軸として枢動する。各アーム６０２のこの枢動により、カム形状の末端接触面６２２が壁５３６の垂直接触面５３８と接する。末端接触面６２２がカム形状であるため、アーム６０２の枢動によって、アーム６０２が（図２０の矢印４４４と平行な）第２軸方向にガスケットプッシャー５０４を動かし（押し）、これにより、ガスケット４４０は、ガスケット４４０が容器の内表面に接することができる拡張状態に変わる。これは、図２２と２３を比較すると明らかである。ボタン４３０が押下げ状態にあると（図２４）、ガスケット４４０は、容器を密封するため容器の内表面と接している。ボタン４３０が押下げ状態にあると、ボタン４３０を再び押すことが可能で、ばね５５４がボタン４３０を突出位置に向かって付勢するようにカム機構４３６は作用する。ボタン４３０が押下げ位置から突出位置に向かって動くと、元の形状に戻ろうとするウェブ４３４及び元の形状に戻ろうとするガスケット４４０によって掛けられる弾性力が、各ガスケットプッシャー５０４の壁５３６の垂直接触面５３８を介して各アーム６０２の末端接触面６２２に対して作用する。これにより、各アーム６０２は、ボタン４３０が移動すると軸柱６２４において逆方向に枢動する。ガスケットプッシャー５０４がウェブ４３４の中央開口５４０に引き寄せられて、ガスケット４４０は容器の内表面とは係合しなくなる。
【００７８】
様々な上記の記載、その他の特徴及び機能、又はそれらの代替若しくは変更が、望ましく組み合わされて、多くの他の異なるシステム又はアプリケーションになり得るということが理解されるべきである。また、現時点では予期せぬ、又は、想定外の種々の代替、変更、変形又は改良が当業者によって後になされるであろうが、それらもまた、次の請求項に含まれるものと意図されている。
【図１】
2019167163.tif 000003
【図２】
2019167163.tif 000004
【図３】
2019167163.tif 000005
【図４】
2019167163.tif 000006
【図５】
2019167163.tif 000007
【図６】
2019167163.tif 000008
【図７】
2019167163.tif 000009
【図８】
2019167163.tif 000010
【図９】
2019167163.tif 000011
【図１０】
2019167163.tif 000012
【図１１】
2019167163.tif 000013
【図１２】
2019167163.tif 000014
【図１３】
2019167163.tif 000015
【図１４】
2019167163.tif 000016
【図１５】
2019167163.tif 000017
【図１６】
2019167163.tif 000018
【図１７】
2019167163.tif 000019
【図１８】
2019167163.tif 000020
【図１９】
2019167163.tif 000021
【図２０】
2019167163.tif 000022
【図２１】
2019167163.tif 000023
【図２２】
2019167163.tif 000024
【図２３】
2019167163.tif 000025
【図２４】
2019167163.tif 000026